(57)【要約】【課題】可動ユニットを移動する際に必要な力を減少させることを可能にして、小型化を図ることを可能とする電子機器を提供する。【解決手段】電子機器としてのＡＶ機器１はインパネに取り付けられる機器本体２と可動ユニットとしての表示ユニット３を備えている。表示ユニット３は一端部３ｃを中心として回転することで基準位置と視認位置とに亘って変位自在である。表示ユニット３の一端部３ｃには回転軸１４が設けられている。回転軸１４には大径部材２９の大径部３３が取り付けられ該大径部材２９の大径部３３にねじりコイルばね３０が取り付けられている。ねじりコイルばね３０は基準位置から視認位置に向かって表示ユニット３を付勢する。ねじりコイルばね３０の内径は回転軸１４の外径より大きい。【選択図】図４
2006240557.tif 000002
【特許請求の範囲】
【請求項１】
機器本体と、
前記機器本体に、一端部を中心として回転自在に支持されているとともに、前記一端部を中心として回転することで第１の位置と第２の位置とに亘って変位自在に設けられた可動ユニットと、
前記可動ユニットを前記第１の位置から前記第２の位置に向かって付勢する付勢手段と、を備えた電子機器において、
前記可動ユニットの一端部に設けられた回転中心をなす回転軸と、
前記回転軸より外径が大きく形成されかつ前記回転軸の外周に取り付けられているとともに、外周に前記付勢手段が取り付けられた大径部と、
を備えたことを特徴とする電子機器。
【請求項２】
前記付勢手段は、ねじりコイルばねであることを特徴とする請求項１記載の電子機器。
【請求項３】
前記可動ユニットの一端部には、前記ねじりコイルばねが取り付け可能な取り付け可能領域が設けられ、
前記取り付け可能領域の中心と、前記回転軸の回転中心とが、互いに位置ずれしているとともに、
前記大径部の軸芯は、前記回転軸の回転中心より前記取り付け可能領域の中心寄りに位置付けられていることを特徴とする請求項２記載の電子機器。
【請求項４】
前記取り付け可能領域の幅と、前記ねじりコイルばねの外径と、を略等しくしたことを特徴とする請求項２又は請求項３記載の電子機器。
【請求項５】
前記大径部と、前記可動ユニットを回転させるための駆動力が伝達される歯車と、を一体に形成したことを特徴とする請求項１乃至請求項４のうちいずれか一項に記載の電子機器。
【請求項６】
機器本体と、
前記機器本体に、一端部を中心として回転自在に支持されているとともに、前記一端部を中心として回転することで第１の位置と第２の位置とに亘って変位自在に設けられた可動ユニットと、
前記可動ユニットを前記第１の位置から前記第２の位置に向かって付勢する付勢手段と、
前記可動ユニットの一端部に設けられた回転中心をなす回転軸と、前記回転軸より外径が大きく形成されかつ前記回転軸の外周に一体化されているとともに外周に前記付勢手段が取り付けられた大径部とを有する回転軸部材と、
を備えたことを特徴とする電子機器。
【発明の詳細な説明】
【技術分野】
【０００１】
本発明は、例えば自動車等の移動体に装着される機器本体と、該機器本体に一端部を中心として回転自在に設けられた可動ユニットを備えた電子機器に関する。
【背景技術】
【０００２】
従来から、移動体としての自動車には、電子機器としての各種のＡＶ（Audio-Visual）機器などが取り付けられることがある。ＡＶ機器は、箱状の機器本体と、この機器本体に出し入れ自在な可動ユニットとしての表示部とを備えている。
【０００３】
機器本体は、扁平な箱状に形成されており、前述した自動車のインストルメントパネルに取り付けられる。機器本体は、テレビチューナや、ＤＶＤ（Digital Versatile Disk）プレーヤなどを収容している。機器本体は、前面（使用者と相対しかつ前記インストルメントパネル外に露出する面）に各種の操作スイッチやボタンなどの操作部を設けている。
【０００４】
表示部は、扁平な板状に形成されており、例えば、ＬＣＤ（Liquid CrystalDisplay）などの表示パネルを備えている。表示部は、表示パネルに前述したＤＶＤプレーヤが再生した情報や、テレビチューナが受信したテレビ映像を表示する。
【０００５】
また、前述した表示部は、機器本体内に収容された駆動機構により、機器本体に出し入れされるとともに、機器本体外に露出した状態で一端部を中心として回転される。表示部は、機器本体外に露出した状態で一端部を中心として回転されることで、前記機器本体に出し入れ自在な第１の位置と、表示パネルに表示した情報を前記自動車の乗員に視認させることが可能な第２の位置とに亘って変位自在となっている。
【０００６】
このため、前述したＡＶ機器は、特に第２の位置で前述した表示部ががたつくことを防止するために、表示部を例えば第１の位置から第２の位置に向かって付勢するねじりコイルばねを備えている。ねじりコイルばねは、表示部の前述した一端部に設けられた回転軸の外周に取り付けられている。ねじりコイルばねは、内側に回転軸が通されて、該回転軸と同軸に配置される。
【発明の開示】
【発明が解決しようとする課題】
【０００７】
前述した電子機器としてのＡＶ機器は、回転軸の外径が表示部の厚みなどと比較して小さいため、ねじりコイルばねの外径が小さくなる傾向であった。このため、ねじりコイルばねを構成する材料（線材）が短くなって、前記第２の位置から前記第１の位置に向かって表示部を変位させた際のねじり量が前述した材料（線材）の全長に相対的に大きくなる傾向であった。このため、ねじりコイルばねのばね定数が大きくなって、前記第２の位置で所定の力で表示部を付勢できるように、コイルばねのばね定数を定めると、前述したねじりコイルばねの弾性復元力に抗して、前記表示部を第２の位置から第１の位置に向かって変位させるための力が強くなる傾向であった。このように、前述した従来のＡＶ機器は、表示部を第２の位置から第１の位置に向かって移動する際にかかる力が強くなる傾向であった。
【０００８】
このため、前述した従来のＡＶ機器は、前記表示部を駆動するモータの減速比を大きくして、モータの動力伝達部の構成がより複雑になるとともに該動力伝達部がより大型化する傾向であった。また、表示部を移動する際にかかる力が強くしなければならないため、モ―タ自体も大型化する傾向であった。したがって、従来のＡＶ機器は、機器全体が大型化する傾向であった。
【０００９】
本発明の目的は、例えば、可動ユニットを移動する際に必要な力を減少させることを可能にして、小型化を図ることを可能とする電子機器を提供することにある。
【課題を解決するための手段】
【００１０】
前記課題を解決し目的を達成するために、請求項１に記載の本発明の電子機器は、機器本体と、前記機器本体に、一端部を中心として回転自在に支持されているとともに、前記一端部を中心として回転することで第１の位置と第２の位置とに亘って変位自在に設けられた可動ユニットと、前記可動ユニットを前記第１の位置から前記第２の位置に向かって付勢する付勢手段と、を備えた電子機器において、前記可動ユニットの一端部に設けられた回転中心をなす回転軸と、前記回転軸より外径が大きく形成されかつ前記回転軸の外周に取り付けられているとともに、外周に前記付勢手段が取り付けられた大径部と、を備えたことを特徴としている。
【発明を実施するための最良の形態】
【００１１】
以下、本発明の一実施形態にかかる電子機器を説明する。本発明の一実施形態にかかる電子機器は、可動ユニットの一端部に設けられた回転軸の外周に該回転軸より大径の大径部を取り付け、この大径部の外周に付勢手段を取り付けるようにすることで、付勢手段を構成する材料（線材）の全長を長くして、該付勢手段のばね定数を小さくしている。こうすることで、例えば、付勢手段の付勢力に抗して、第２の位置から第１の位置に向かって、可動ユニットを変位する際に必要とされる力を減少することを可能にして、駆動源からの動力伝達部の簡素化と駆動源の小型化を可能にして、電子機器の機器自体の小型化を可能にしている。
【００１２】
また、付勢手段として、ねじりコイルばねを用いても良い。
【００１３】
また、可動ユニットの一端部に設けられた取り付け可能領域の中心と回転軸の回転中心とが位置ずれしている際には、大径部の軸芯を回転軸の回転中心より取り付け可能領域の中心寄りに位置付けても良い。
【００１４】
さらに、取り付け可能領域の幅を、ねじりコイルばねの外径と略等しくしても良い。
【００１５】
前記大径部と、前記可動ユニットを回転させるための駆動力が伝達される歯車と、を一体に形成しても良い。
【実施例】
【００１６】
本発明の一実施例を、図１ないし図２３に基づいて説明する。電子機器としてのＡＶ（Audio-Visual）機器１は、図１などに示すように、移動体としての自動車のインストルメントパネル（以下、インパネと呼ぶ）Ｄなどに装着される。
【００１７】
ＡＶ機器１は、図１に示すように、機器本体２と、機器本体２内に出し入れ自在に設けられた可動ユニットとしての表示ユニット３と、機器本体２に移動自在に支持された移動ユニットとしての操作ユニット４と、第１駆動部５（図２などに示す）と、第２駆動部６（図９などに示す）などを備えている。
【００１８】
機器本体２は、合成樹脂から形成された筐体７と、板金などからなる第１固定シャーシ８（図２などに示す）と、板金などからなる第２固定シャーシ９（図９などに示す）と、を備えている。
【００１９】
筐体７は、扁平な箱状に形成されている、筐体７は、インパネＤに取り付けられる。筐体７は、インパネＤに装着された際に、自動車の乗員室側に相対向する開口部７ａ（図１６に示す）と、後述のＤＶＤビデオなどを出し入れする挿入口７ｂ（図２０に示す）とを備えている。なお、以下、図１などに示す矢印ＸをＡＶ機器１の幅方向と記し、矢印ＹをＡＶ機器１の奥行き方向と記し、矢印ＺをＡＶ機器１の厚み方向と記す。
【００２０】
第１固定シャーシ８は、図２に示すように、略平坦な天井板１０と、該天井板１０の外縁から立設した複数の周板１１とを備えている。第２固定シャーシ９は、図９に示すように、略平坦な底板１２と、該底板１２の外縁から立設した複数の周板１３とを備えている。周板１１，１３が互いに取り付けられて、固定シャーシ８，９は、互いに取り付けられるようになっている。
【００２１】
第１固定シャーシ８と第２固定シャーシ９とは、互いに取り付けられて、前記筐体７内に収容される。第１固定シャーシ８と第２固定シャーシ９とは、互いに取り付けられると、扁平な箱状に形成され、外形が筐体７の内面に沿うこととなる。図示例では、第１固定シャーシ８は、筐体７内の上半分に設けられ、第２固定シャーシ９は、筐体７内の下半分に設けられる。
【００２２】
また、筐体７即ち機器本体２は、ＤＶＤプレーヤと、テレビチューナなどを収容している。ＤＶＤプレーヤは、周知のＤＶＤ（Digital Versatile Disk）ビデオなどを再生して、これらのＤＶＤビデオなどからの情報を表示ユニット３の後述の表示パネル３ａに表示する。テレビチューナは、テレビ放送を受信して、受信して得た映像を表示ユニット３の表示パネル３ａに表示する。
【００２３】
表示ユニット３は、液晶ディスプレイ（Liquid Crystal Display）などからなりかつ文字や画像などの情報を運転者などに向かって表示して視認させるための表示面としての表示パネル３ａと、この表示パネル３ａを収容する筐体部材３ｂなどを備えている。表示ユニット３は、前記第１固定シャーシ８内に、表示パネル３ａが下方に相対した状態で収容される。表示ユニット３は、第１駆動部５により機器本体２の内外に移動自在である。表示ユニット３の表示パネル３ａは、前述したＤＶＤプレーヤと、テレビチューナからの情報を表示する。
【００２４】
また、表示ユニット３は、最も開口部７ａから離れた則ち最も筐体７の奥側に位置する一端部３ｃに、回転軸１４と取り付け可能領域Ｒ（図５中に平行斜線で示す）とが設けられている。
【００２５】
回転軸１４は、前記一端部３ｃの表示ユニット３の幅方向Ｘの両端から該幅方向Ｘに沿って突出している。回転軸１４は、円柱状に形成されている。回転軸１４は、第１駆動部５のスライドシャーシ１８に回転自在に支持される。このため、表示ユニット３は、回転軸１４即ち一端部３ｃを中心として回転自在に、スライドシャーシ１８を介して第１固定シャーシ８即ち機器本体２に回転自在に支持されている。なお、回転軸１４の軸芯Ｐ１（図２および図３中に一点鎖線で示す）は、本明細書に記した回転軸１４の回転中心をなしている。
【００２６】
取り付け可能領域Ｒは、図５に示すように、表示ユニット３の側方からみて、回転軸１４の外周を囲んでいるとともに、筐体部材３ｂなどで囲まれた空間（領域）となっている。取り付け可能領域Ｒは、内側に後述するねじりコイルばね３０を収容することが可能な空間（領域）である。取り付け可能領域Ｒとは、ねじりコイルばね３０を、筐体部材３ｂに干渉することなく取り付けることが可能な領域である。
【００２７】
表示ユニット３が機器本体２内に収容された状態で、取り付け可能領域Ｒを厚み方向Ｚに２等分する線分Ｓ１（図５に示す）と、取り付け可能領域Ｒを奥行き方向Ｙに２等分する線分Ｓ２（図５に示す）との交点である取り付け可能領域Ｒの中心Ｐ２と、前述した回転軸１４の軸芯Ｐ１とは、互いに位置ずれしている。図示例では、取り付け可能領域Ｒの中心Ｐ２より、回転軸１４の軸芯Ｐ１が、表示パネル３ａ寄りでかつスライドシャーシ１８から離れた側に位置付けられている。
【００２８】
また、表示ユニット３の表示パネル３ａは、パネルセンサを内蔵した所謂タッチパネルとなっている。パネルセンサは、前述した表示パネル３ａに表示する情報を、ＤＶＤプレーヤからの情報と、テレビチューナからの情報とを切り換えるためなどに用いられる。また、パネルセンサは、機器本体２内から表示ユニット３を出し入れするためや、機器本体２内にＤＶＤビデオなどを出し入れする際に操作ユニット４を移動して前述した挿入口７ｂを開閉するためなどに用いられる。
【００２９】
操作ユニット４は、図１に示すように、扁平な箱状のハウジング１５と、該ハウジング１５内に収容される表示パネルとしての液晶ディスプレイ（以下ＬＣＤと呼ぶ）１６と、各種のスイッチ１７と、を備えている。ハウジング１５は、長さと幅がそれぞれ機器本体２の幅と厚みとほぼ等しい扁平な箱状に形成されている。
【００３０】
ＬＣＤ１６は、使用者に対し各種の情報を表示する表示領域としての表示面を備えている。各種のスイッチ１７は、使用者が操作するための操作部を構成している。この表示面と操作部とが前記ハウジング１５の図１中手前側に位置する面に設けられている。なお、前記面は、露出面をなしており、以下露出面と呼ぶ。
【００３１】
操作ユニット４に設けられたスイッチ１７が使用者などに操作されることによって、例えば、チューナが電波を受信する放送局の選局やＤＶＤプレーヤが再生するプログラムの選択が行われる。そして、操作ユニット４のＬＣＤ１６にその選局中の放送局の周波数、放送局名や、再生中のプログラム名等の情報を表示させる。
【００３２】
第１駆動部５は、図２および図３に示すように、スライドシャーシ１８と、移送手段としての移送ユニット１９と、回転支持手段としての回転支持ユニット２０とを備えている。
【００３３】
スライドシャーシ１８は、板金などからなり、平板状に形成されている。スライドシャーシ１８は、第１固定シャーシ８の天井板１０の内側に配されているとともに、該天井板１０に重ねられている。スライドシャーシ１８は、移送ユニット１９の後述するリニアガイドのスライダに固定されている。このため、スライドシャーシ１８は、機器本体２の奥行き方向Ｙに沿って移動自在に第１固定シャーシ８の周板１１則ち機器本体２に支持されている。スライドシャーシ１８は、機器本体２の奥行き方向Ｙに沿ってスライドすることで、開口部７ａ内を通って、機器本体２に出し入れされる。
【００３４】
また、スライドシャーシ１８は、表示ユニット３の一端部３ｃに設けられた回転軸１４を回転自在に支持している。このため、スライドシャーシ１８は、回転軸１４即ち一端部３ｃを中心として回転自在に、表示ユニット３を支持している。
【００３５】
移送ユニット１９は、図２および図３に示すように、図示しないリニアガイドと、駆動源としてのモータ２１と、一対のラック２２と、一対の走行歯車２３と、複数の伝達歯車２４と、を備えている。リニアガイドは、レールと、スライダとを備えている。レールは、それぞれ、第１固定シャーシ８の奥行き方向Ｙに沿って延在した周板１１に取り付けられている。レールの長手方向は、前述した機器本体２の奥行き方向Ｙ則ち機器本体２の奥から開口部７ａに向かう方向に沿っている。スライダは、レールの長手方向に沿って移動自在に該レールに支持されている。
【００３６】
モータ２１は、スライドシャーシ１８に取り付けられているとともに、出力軸にはウォーム２５が取り付けられている。ラック２２は、直線状に延びており、第１固定シャーシ８の天井板１０の機器本体２の幅方向Ｘの両端に取り付けられている。ラック２２は、第１固定シャーシ８の天井板１０の機器本体２の奥側の端から開口部７ａ寄りの端に亘って、設けられている。ラック２２の長手方向は、機器本体２の奥行き方向Ｙと平行である。
【００３７】
一対の走行歯車２３は、機器本体２の幅方向Ｘに沿って互いに間隔をあけて配されている。一対の走行歯車２３は、それぞれ、ラック２２と噛み合っている。一対の走行歯車２３は、スライドシャーシ１８に回転自在に設けられた軸２６により互いに連結されている。
【００３８】
複数の伝達歯車２４は、それぞれ、スライドシャーシ１８に回転自在に設けられている。複数の伝達歯車２４は、互いに噛み合っているとともに、一つがウォーム２５と噛み合い、他の一つが一方の走行歯車２３と噛み合っている。伝達歯車２４は、モータ２１の回転駆動力を、走行歯車２３に伝達する。
【００３９】
前述した構成によって、移送ユニット１９は、モータ２１が例えば正転駆動すると、走行歯車２３がラック２２上を走行して、スライドシャーシ１８則ち表示ユニット３を機器本体２内に収容された収容位置（図２中に二点鎖線で示す）から機器本体２外に排出された（の外部に位置付けられた）基準位置（図２及び図３に示す）に向かって、機器本体２の奥行き方向Ｙに沿って、表示ユニット３を移動する。則ち、移送ユニット１９は、モータ２１が例えば正転駆動すると、開口部７ａを通して、機器本体２内の表示ユニット３を機器本体２外に露出させる。
【００４０】
また、移送ユニット１９は、モータ２１が例えば逆転駆動すると、走行歯車２３がラック２２上を走行して、スライドシャーシ１８則ち表示ユニット３を前述の基準位置から収容位置に向かって、機器本体２の奥行き方向Ｙに沿って移動する。則ち、移送ユニット１９は、モータ２１が例えば逆転駆動すると、開口部７ａを通して、機器本体２外の表示ユニット３を機器本体２内に収容する。
【００４１】
こうして、移送ユニット１９は、機器本体２内に収容された収容位置と、機器本体２内から排出された基準位置とに亘って、表示ユニット３を移動する。即ち、移送ユニット１９は、機器本体２に表示ユニット３を出し入れする。なお、基準位置とは、表示パネル３ａの表面が、移送ユニット１９の表示ユニット３を移送する方向即ち奥行き方向Ｙと平行な状態を示している。基準位置は、本明細書に記した第１の位置をなしている。
【００４２】
回転支持ユニット２０は、図２および図３に示すように、駆動源としてのモータ２７と、回転歯車２８と、一対の大径部材２９と、一対のねじりコイルばね３０と、複数の伝達歯車３１とを備えている。
【００４３】
モータ２７は、スライドシャーシ１８に取り付けられているとともに、出力軸にはウォーム３２が取り付けられている。回転歯車２８は、図４に示すように、スライドシャーシ１８の表示ユニット３寄りの端部に回転自在に支持されている。回転歯車２８は、一方の回転軸１４の近傍に配されている。回転歯車２８の軸芯は、機器本体２の幅方向Ｘと平行である。
【００４４】
一対の大径部材２９のうち一方の大径部材２９は、図４ないし図７に示すように、大径部３３と、歯車としての歯車部３４とを一体に備えている。大径部３３は、内周面と外周面とが互いに偏心した円筒状に形成されている。大径部３３の内径は、前述した回転軸１４の外径と略等しく、大径部３３の外径は、回転軸１４の外径より大きい。大径部３３即ち大径部材２９は、内側に回転軸１４を通した状態で、該回転軸１４に固定される。このように、大径部３３は、回転軸１４の外周に取り付けられている。
【００４５】
大径部３３の外周面の軸芯Ｐ３は、回転軸１４の外周に取り付けられた状態で、該回転軸１４の軸芯Ｐ１より取り付け可能領域Ｒの中心Ｐ２寄りに位置付けられている。図示例では、大径部３３の軸芯Ｐ３は、回転軸１４の外周に取り付けられた状態で、取り付け可能領域Ｒの中心Ｐ２と一致している。大径部３３の外周面の軸芯Ｐ３は、本明細書に記した大径部３３の軸芯をなしている。
【００４６】
歯車部３４は、大径部３３が回転軸１４の外周に取り付けられると、前述した回転歯車２８と噛み合う。このため、歯車部３４は、表示ユニット３を回転させるための駆動力が伝達される。歯車部３４の曲率の中心は、大径部３３の内周面即ち回転軸１４の軸芯Ｐ１である。
【００４７】
一対の大径部材２９のうち他方の大径部材２９は、前述した大径部３３のみ備え、歯車部３４を備えていない以外は、前述した一方の大径部材２９と構成が等しいので、説明を省略する。
【００４８】
ねじりコイルばね３０は、それぞれ、断面円形の長尺の材料（以下、線材と呼ぶ）が、コイル状に曲げられて形成されている。ねじりコイルばね３０の内径は、大径部材２９の大径部３３の外径と略等しい。ねじりコイルばね３０は、内側に大径部３３を通した状態で、大径部材２９に取り付けられる。また、ねじりコイルばね３０の線材の直径の２倍と、ねじりコイルばね３０の内径との和（即ち、ねじりコイルばね３０の外径）は、前述した取り付け可能領域Ｒの幅Ｈ（図５に示す）より若干小さく、該幅Ｈと略等しい。なお、取り付け可能領域Ｒの幅Ｈとは、表示ユニット３が機器本体２内に収容された状態で前述した厚み方向Ｚの取り付け可能領域Ｒの幅を示している。
【００４９】
また、本明細書でいう前述した和（即ち、ねじりコイルばね３０の外径）が、取り付け可能領域Ｒの幅Ｈと略等しいとは、ねじりコイルばね３０の内径が回転軸１４の外径より十分に大きく、かつ前述した和（即ち、ねじりコイルばね３０の外径）が取り付け可能領域Ｒの幅Ｈより若干小さいことを示している。即ち、本明細書でいう前述した和（即ち、ねじりコイルばね３０の外径）が、取り付け可能領域Ｒの幅Ｈと略等しいとは、ねじりコイルばね３０の内径が回転軸１４の外径と等しい場合より、該ねじりコイルばねのばね定数を十分に小さくできるように、前述した和（即ち、ねじりコイルばね３０の外径）が取り付け可能領域Ｒの幅Ｈより若干小さくなるまで、ねじりコイルばね３０の内径を大きくできることを示している。また、前述した和（即ち、ねじりコイルばね３０の外径）が、取り付け可能領域Ｒの幅Ｈと略等しいとは、ねじりコイルばね３０が筐体部材３ｂなどと干渉せずに、内径が回転軸１４の外径より十分に大きいことを示している。
【００５０】
このように、ねじりコイルばね３０は、大径部材２９の大径部３３の外周に取り付けられている。また、ねじりコイルばね３０の一端は、スライドシャーシ１８に係止している。ねじりコイルばね３０の他端は、大径部材２９に係止している。ねじりコイルばね３０は、表示ユニット３を前述した基準位置から後述の視認位置に向かって付勢する。ねじりコイルばね３０は、特許請求の範囲に記載された付勢手段をなしている。
【００５１】
複数の伝達歯車３１は、それぞれ、スライドシャーシ１８に回転自在に設けられている。複数の伝達歯車３１は、互いに噛み合っているとともに、一つがウォーム３２と噛み合い、他の一つが回転歯車２８と噛み合っている。伝達歯車３１は、モータ２７の回転駆動力を、回転歯車２８即ち大径部材２９に伝達する。
【００５２】
前述した構成によって、回転支持ユニット２０は、モータ２７が例えば正転駆動すると、回転歯車２８により一方の大径部材２９の歯車部３４が回転する。すると、大径部材２９が回転軸１４に固定されているので、表示ユニット３が機器本体２内から排出されて則ち収容位置から移動されて位置する基準位置（図４中に実線で示す）から表示パネル３ａが乗員室内の乗員などと相対する視認位置（図４中に二点鎖線で示す）に向かって、表示ユニット３を、該表示ユニット３の機器本体２の奥側に位置する一端部３ｃを中心として機器本体２の幅方向Ｘ周りに回転させる。則ち、回転支持ユニット２０は、表示ユニット３を、一端部３ｃを中心として回転して、起立させて、前述した視認位置に位置付ける（又は立ち上がらせるともいう）。なお、視認位置は、本明細書に記した第２の位置をなしている。
【００５３】
また、表示ユニット３が前述した視認位置に位置付けられている状態で、回転支持ユニット２０は、モータ２７が例えば逆転駆動すると、伝達歯車３１が回転して、回転歯車２８により一方の大径部材２９の歯車部３４が回転する。すると、大径部材２９が回転軸１４に固定されているので、前述の視認位置から表示パネル３ａが下方に相対する図４中に実線で示す基準位置に向かって、ねじりコイルばね３０の付勢力に抗して、表示ユニット３を該表示ユニット３の機器本体２の奥側に位置する一端部３ｃを中心として機器本体２の幅方向Ｘ周りに回転させる。則ち、回転支持ユニット２０は、表示ユニット３を、一端部３ｃを中心として回転して、前述した基準位置に位置付ける（又は立ち下げるともいう）。こうして、回転支持ユニット２０は、表示ユニット３を立ち上げて又は立ち下げて、収容位置から移動されて位置する基準位置と、表示パネル３ａに表示した情報を乗員に視認させる視認位置とに亘って、表示ユニット３を回転する。即ち、表示ユニット３は、基準位置と視認位置とに亘って変位自在に設けられている。
【００５４】
第２駆動部６は、図９、図１１および図１３に示すように、駆動源としてのモータ３５と、一対の連動歯車３６と、一対の移動ユニット３７と、複数の伝達歯車３８と、を備えている。
【００５５】
モータ３５は、第２固定シャーシ９の底板１２に取り付けているとともに、出力軸にウォーム３９が取り付けられている。一対の連動歯車３６は、機器本体２の幅方向Ｘに沿って互いに並べられているとともに、互いに噛み合っている。連動歯車３６は、それぞれ、第２固定シャーシ９の底板１２に回転自在に支持されている。
【００５６】
移動ユニット３７は、機器本体２内に設けられ、該機器本体２の幅方向Ｘの両端部に設けられている。移動ユニット３７は、それぞれ、第１スライド孔４０と、第２スライド孔４１と、下連結アーム４２と、上連結アーム４３と、固定シャーシ４４と、第１スライドシャーシ４５と、第２スライドシャーシ４６と、連結シャーシ４７と、を備えている。
【００５７】
第１スライド孔４０と第２スライド孔４１は、図８、図１０および図１２に示すように、第２固定シャーシ９の奥行き方向Ｙに沿って直線状に延在した周板１３に設けられている。第１スライド孔４０と、第２スライド孔４１とは、それぞれ、周板１３を貫通している。第１スライド孔４０は、周板１３の挿入口７ｂより離れた側の端部に設けられ、第２スライド孔４１は、周板１３の挿入口７ｂ寄りの端部に設けられている。
【００５８】
第１スライド孔４０は、水平部４８と、該水平部４８に連なる傾斜部４９とを備えている。水平部４８は、前述した奥行き方向Ｙに沿って直線状に延在している。傾斜部４９は、水平部４８の挿入口７ｂ寄りの縁に連なっている。傾斜部４９は、挿入口７ｂに向かうにしたがって、徐々に第２固定シャーシ９の底板１２から第１固定シャーシ８の天井板１０に近づく方向に傾斜している。即ち、傾斜部４９は、水平部４８から挿入口７ｂに向かうにしたがって、徐々に上方に傾斜している。
【００５９】
第２スライド孔４１は、水平部５０と、該水平部５０に連なる傾斜部５１とを備えている。水平部５０は、前述した奥行き方向Ｙに沿って直線状に延在している。傾斜部５１は、水平部５０の挿入口７ｂ寄りの縁に連なっている。傾斜部５１は、挿入口７ｂに向かうにしたがって、徐々に第１固定シャーシ８の天井板１０から第２固定シャーシ９の底板１２に近づく方向に傾斜している。即ち、傾斜部５１は、水平部５０から挿入口７ｂに向かうにしたがって、徐々に下方に傾斜している。
【００６０】
下連結アーム４２と上連結アーム４３とは、それぞれ、アーム状に形成されている。下連結アーム４２は、長手方向が、前述した奥行き方向Ｙに沿う状態で配されている。下連結アーム４２は、機器本体２内に収容された状態で挿入口７ｂ寄りの一端４２ａが操作ユニット４の下端部４ａと回転自在に連結している。機器本体２内に収容された状態で下連結アーム４２の挿入口７ｂから離れた側の他端４２ｂには、前記第１スライド孔４０内に侵入して、該第１スライド孔４０内を移動自在なスライド突起５２が設けられている。下連結アーム４２の長手方向の中央部には、前記第２スライド孔４１内に侵入して、該第２スライド孔４１内を移動自在なスライド突起５３が設けられている。前述した下連結アーム４２の特に他端４２ｂは、スライド突起５２，５３がスライド孔４０，４１内を移動することで、奥行き方向Ｙに沿って、周板１３に対しスライド自在となっている。
【００６１】
上連結アーム４３は、一端４３ａが操作ユニット４の上端部４ｂと回転自在に連結している。上連結アーム４３は、他端４３ｂが第２スライドシャーシ４６と回転自在に連結している。
【００６２】
固定シャーシ４４は、板金からなり平板状に形成されている。固定シャーシ４４は、第２固定シャーシ９の底板１２に重ねられて、該第２固定シャーシ９に取り付けているとともに、前述した奥行き方向Ｙに沿って直線状に形成されている。固定シャーシ４４は、第２固定シャーシ９の幅方向Ｘの両端に設けられている。固定シャーシ４４には、奥行き方向Ｙに沿って直線状に延びたスライド孔５４が設けられている。スライド孔５４は、奥行き方向Ｙに沿って、固定シャーシ４４の挿入口７ｂより離れた側の端部から前記挿入口７ｂに向かって直線状に延在している。
【００６３】
第１スライドシャーシ４５は、板金からなり、平板状の水平部５５と、該水平部５５の縁から立設した平板状の鉛直部５６と、を一体に備えてＬ字状に形成されている。第１スライドシャーシ４５は、水平部５５が固定シャーシ４４上に重ねられ、鉛直部５６が周板１３の内面に重ねられている。第１スライドシャーシ４５は、挿入口７ｂから離れた側（機器本体２の奥側）に設けられている。
【００６４】
第１スライドシャーシ４５には、リニアガイド５７と、スライド突起５８と、スライド孔５９と、ラック６０と、支持孔６１とが設けられている。リニアガイド５７は、第１スライドシャーシ４５に取り付けられているとともに、前記周板１３に奥行き方向Ｙに沿って、スライド自在に支持されている。スライド突起５８は、固定シャーシ４４に向かって凸に形成されているとともに、固定シャーシ４４のスライド孔５４内に侵入して、該スライド孔５４内を移動自在となっている。
【００６５】
スライド孔５９は、水平部５５を貫通しているとともに、直線部６２と、円弧部６３とを備えている。直線部６２は、奥行き方向Ｙに沿って直線状に延びている。円弧部６３は、直線部６２の挿入口７ｂから離れた側の端部に連なっている。円弧部６３は、円弧状に形成されかつ直線部６２即ち挿入口７ｂから離れるのにしたがって、機器本体２の幅方向Ｘに沿って外側に向かう方向に延びている。
【００６６】
ラック６０は、水平部５５に設けられ、連動歯車３６と噛み合っている。支持孔６１は、鉛直部５６を貫通しているとともに、水平部６４と、傾斜部６５とを備えている。水平部６４は、奥行き方向Ｙに沿って直線状に延びている。傾斜部６５は、水平部６４の挿入口７ｂ寄りの端部に連なっている。傾斜部６５は、挿入口７ｂに近づくのにしたがって、徐々に底板１２に近づく（下方に向かう）方向に延びている。支持孔６１は、下連結アーム４２の端部に設けられたスライド突起５２が侵入するとともに、該スライド突起５２が移動自在となっている。支持孔６１は、スライド突起５２が侵入することで、下連結アーム４２を支持する。
【００６７】
前述した構成の第１スライドシャーシ４５は、モータ３５が駆動して、連動歯車３６を回転することで、前述したリニアガイド５７とスライド突起５８などにより、奥行き方向Ｙに沿って移動される。このとき、例えばモータ３５が正転駆動すると、第１スライドシャーシ４５は、機器本体２の挿入口７ｂから離れた奥側から挿入口７ｂ即ち手前側に移動する。また、例えばモータ３５が逆転駆動すると、第１スライドシャーシ４５は、機器本体２の挿入口７ｂ寄り即ち挿入口７ｂから離れた側即ち機器本体２の奥側に移動する。
【００６８】
第２スライドシャーシ４６は、板金からなり、平板状の水平部６６と、該水平部６６の縁から立設した平板状の鉛直部６７と、を一体に備えてＬ字状に形成されている。第２スライドシャーシ４６は、水平部６６が固定シャーシ４４上に重ねられ、鉛直部６７が周板１３の内面に重ねられている。第２スライドシャーシ４６の水平部６６は、固定シャーシ４４と間隔をあけているとともに、固定シャーシ４４との間に第１スライドシャーシ４５の水平部５５が侵入することを許容している。第２スライドシャーシ４６の鉛直部６７は、周板１３と間隔をあけているとともに、周板１３との間に第１スライドシャーシ４５の鉛直部５６が侵入することを許容している。第２スライドシャーシ４６は、第１スライドシャーシ４５より挿入口７ｂ寄りに設けられている。
【００６９】
第２スライドシャーシ４６には、複数のガイド孔６８と、連結孔６９とが設けられている。ガイド孔６８は、水平部６６を貫通しているとともに、奥行き方向Ｙに沿って直線状に延びている。ガイド孔６８内には、第２固定シャーシ９の底板１２及び固定シャーシ４４から立設したボス７０が侵入している。ガイド孔６８内では、ボス７０が移動自在となっている。
【００７０】
連結孔６９は、第２スライドシャーシ４６の水平部６６の挿入口７ｂから離れた側（機器本体２の奥側）の端部に設けられている。即ち、連結孔６９は、水平部６６の第１スライドシャーシ４５寄りの端部に設けられている。連結孔６９は、水平部６６を貫通している。連結孔６９は、機器本体２の幅方向Ｘに沿って直線状に延びている。
【００７１】
前述した第２スライドシャーシ４６は、前述したガイド孔６８と、該ガイド孔６８に侵入したボス７０などにより、奥行き方向Ｙに沿って移動自在となっている。また、第２スライドシャーシ４６には、第２固定シャーシ９の底板１２との間に第２付勢手段としてのコイルばね７１が掛け渡されている。第２スライドシャーシ４６は、コイルばね７１により挿入口７ｂから離れる方向即ち機器本体２の奥に向かって付勢されている。
【００７２】
さらに、前述した第２スライドシャーシ４６の鉛直部６７には、上連結アーム４３の端部が回転自在に連結している。
【００７３】
連結シャーシ４７は、板金からなり平板状に形成されている。連結シャーシ４７は、第１スライドシャーシ４５と第２スライドシャーシ４６との間に設けられている。図示例では、連結シャーシ４７は、第１スライドシャーシ４５の上でかつ第２スライドシャーシ４６の下に設けられている。連結シャーシ４７は、挿入口７ｂ寄りの縁部４７ａを中心として、回転自在に、第２固定シャーシ９の底板１２に取り付けられている。
【００７４】
また、連結シャーシ４７には、一対のスライド突起７２，７３が設けられている。一方のスライド突起７２は、連結シャーシ４７から第１スライドシャーシ４５に向かって凸に形成され、該第１スライドシャーシ４５に設けられたスライド孔５９内に侵入しているとともに、該スライド孔５９内を移動自在となっている。
【００７５】
他方のスライド突起７３は、連結シャーシ４７から第２スライドシャーシ４６に向かって凸に形成され、該第２スライドシャーシ４６に設けられた連結孔６９内に侵入しているとともに、該連結孔６９内を移動自在となっている。
【００７６】
前述した連結シャーシ４７は、スライド突起７２がスライド孔５９の直線部６２内を移動する際には、前述した縁部４７ａを中心として回転することがいない（即ち、回転が規制されている）。連結シャーシ４７は、スライド突起７２がスライド孔５９の円弧部６３内を移動する際には、前述した縁部４７ａを中心として回転する（即ち、円弧部６３内のスライド突起７２の位置に応じて、回転する）。さらに、連結シャーシ４７は、スライド突起７２が直線部６２から円弧部６３に向かって移動して、該スライド突起７２が円弧部６３を直線部６２から離れる方向に移動すると、縁部４７ａを中心として、第２スライドシャーシ４６を挿入口７ｂに近づく方向に押圧する向きに回転する。
【００７７】
前述した構成によって、移動ユニット３７は、モータ３５が例えば正転駆動すると、第１スライドシャーシ４５が挿入口７ｂに近づく。そして、スライド突起７２が円弧部６３内を移動すると、連結シャーシ４７が縁部４７ａを中心として回転して、第２スライドシャーシ４６が挿入口７ｂに近づく方向に移動する。さらに、下連結アーム４２のスライド突起５２，５３がスライド孔４０，４１内を移動して、移動ユニット３７は、操作ユニット４を、該操作ユニット４が機器本体２の前面２ａ（図２０に示す）を覆う図１４および図１５に示す覆い位置と、該操作ユニット４が開口部７ａと挿入口７ｂとの双方を開放する図２０および図２１に示す挿排出位置と、該操作ユニット４が開口部７ａを開放しかつ前記挿入口７ｂの一部を覆う図２２および図２３に示す操作位置とに順に移動する。なお、前面２ａとは、機器本体２の乗員（使用者）に相対する面をなしている。
【００７８】
また、移動ユニット３７は、モータ３５が例えば逆転駆動すると、第１スライドシャーシ４５が挿入口７ｂから離れる。そして、スライド突起７２が円弧部６３内を移動すると、連結シャーシ４７が縁部４７ａを中心として回転して、第２スライドシャーシ４６が挿入口７ｂから離れた後、スライド突起７２が直線部６２内を移動するとともに、第２スライドシャーシ４６が停止する。さらに、下連結アーム４２のスライド突起５２，５３がスライド孔４０，４１内を移動して、移動ユニット３７は、操作ユニット４を、前述した操作位置と、挿排出位置と、覆い位置とに順に移動する。
【００７９】
複数の伝達歯車３８は、それぞれ、第２固定シャーシ９の底板１２に回転自在に設けられている。複数の伝達歯車３８は、互いに噛み合っているとともに、一つがウォーム３９と噛み合い、他の一つが連動歯車３６と噛み合っている。伝達歯車３８は、モータ３５の回転駆動力を、連動歯車３６即ち第１スライドシャーシ４５に伝達する。
【００８０】
次に、前述した構成のＡＶ機器１の動作を説明する。まず、図１４および図１５に示すように、表示ユニット３が収容位置に位置付けられ、かつ操作ユニット４が覆い位置に位置付けられている。この状態では、第１駆動部５のラック２２の機器本体２の奥側の端部に走行歯車２３が噛み合っているとともに、表示パネル３ａが下方に相対している。
【００８１】
さらに、図９に示すように、第２駆動部６の第１スライドシャーシ４５が、機器本体２の奥側即ち挿入口７ｂから離れた位置に位置付けられ、第２スライドシャーシ４６が、挿入口７ｂから離れている。そして、図８に示すように、下連結アーム４２のスライド突起５２が、第１スライド孔４０の挿入口７ｂから離れた側の端部と、第１スライドシャーシ４５の鉛直部５６に設けられた支持孔６１の傾斜部６５の挿入口７ｂ寄りの端部に位置している。さらに、下連結アーム４２のスライド突起５３が、第２スライド孔４１の挿入口７ｂから離れた側の端部に位置している。連結シャーシ４７のスライド突起７２は、第１スライドシャーシ４５の水平部５５に設けられたスライド孔５９の直線部６２の挿入口７ｂ寄りの端部に位置している。
【００８２】
この状態で、表示ユニット３を機器本体２外に排出する際には、まず、スイッチ１７のうち表示ユニット３を機器本体２外に排出するため（引き出し用）の則ち表示ユニット３を視認位置に位置付けるためのスイッチ１７が操作される。すると、第２駆動部６のモータ３５が例えば正転駆動する。すると、モータ３５の駆動力が伝達歯車３８と連動歯車３６により第１スライドシャーシ４５に伝達され、第１スライドシャーシ４５が徐々に挿入口７ｂに向かって移動する。そして、第１スライドシャーシ４５が、固定シャーシ４４と連結シャーシ４７との間に徐々に侵入するとともに、固定シャーシ４４と第２スライドシャーシ４６との間に徐々に侵入する。
【００８３】
すると、連結シャーシ４７に設けられたスライド突起７２が、徐々に円弧部６３に近づく方向に、第１スライドシャーシ４５に設けられたスライド孔５９の直線部６２内を移動する。このため、連結シャーシ４７は、縁部４７ａを中心として回転することなく、停止した状態を保つ。
【００８４】
また、下連結アーム４２のスライド突起５２は、第１スライドシャーシ４５に設けられた支持孔６１の傾斜部６５内に位置しているので、第１スライドシャーシ４５に対し相対的に移動することなく、周板１３に設けられた第１スライド孔４０の水平部４８内を移動する。また、下連結アーム４２のスライド突起５３が、周板１３に設けられた第２スライド孔４１の水平部５０内を移動する。このため、下連結アーム４２は、徐々に、機器本体２外に排出される。このため、操作ユニット４の下端部が徐々に機器本体２の前面２ａより前方に突出して、操作ユニット４が徐々に上向きに変位する。
【００８５】
すると、図１６および図１７に示すように、操作ユニット４は、挿入口７ｂを覆ったまま開口部７ａを開放する。
【００８６】
そして、図１０に示すように、下連結アーム４２のスライド突起５２が、第１スライド孔４０の傾斜部４９と第１スライドシャーシ４５の支持孔６１の傾斜部６５に侵入して、該傾斜部４９，６５に沿って上方に変位する。さらに、下連結アーム４２のスライド突起５３が、第２スライド孔４１の傾斜部５１に侵入して、該傾斜部５１に沿って下方に変位する。スライド突起５２が下連結アーム４２の端部に設けられ、スライド突起５３が下連結アーム４２の中央部に設けられているので、下連結アーム４２の機器本体２の挿入口７ｂ寄りの一端部が下方に変位して、操作ユニット４の下端部が下方に変位する。そして、図２０および図２１に示すように、操作ユニット４は、開口部７ａと挿入口７ｂとの双方を開放する挿排出位置に位置付けられる。この挿排出位置では、前述したＤＶＤビデオなどの出し入れが行われる。
【００８７】
また、図１６および図１７に示すように、操作ユニット４が、挿入口７ｂを覆ったまま開口部７ａを開放すると、第１駆動部５のモータ２１が正転駆動する。そして、走行歯車２３がラック２２上を走行して、走行歯車２３が徐々に開口部７ａに近づく。すると、表示ユニット３が徐々に、機器本体２外に排出される。そして、図１９中に二点鎖線で示すように、表示ユニット３が機器本体２外に排出されて、表示パネル３ａが下方に相対する基準位置に位置付けられる。
【００８８】
そして、前述したモータ２１が停止するとともに、第１駆動部５のモータ２７が例えば正転駆動する。すると、表示ユニット３を一端部３ｃを中心として回転して、図１８および図１９に示すように、徐々に表示パネル３ａが上方に向くように、表示ユニット３が徐々に立ち上げられる。そして、図２０および図２１に示すように、表示ユニット３が視認位置に位置付けられる。この視認位置では、ねじりコイルばね３０によって、表示ユニット３は、表示パネル３ａが上方に向く方向に（即ち、視認位置に向かって）付勢されている。
【００８９】
こうして、図２０および図２１に示すように、表示ユニット３が視認位置に位置付けられるとともに、操作ユニット４が挿排出位置に位置付けられる。そして、第１駆動部５のモータ２７が停止する。表示ユニット３は、ＤＶＤプレーヤやテレビチューナなどの情報を表示パネル３ａに表示する。
【００９０】
また、第２駆動部６のモータ３５がさらに正転駆動すると、図１１に示すように、連結シャーシ４７のスライド突起７２が第１スライドシャーシ４５のスライド孔５９の円弧部６３内に侵入する。さらに、モータ３５が正転駆動すると、図１２に示すように、第１スライドシャーシ４５がさらに挿入口７ｂに近づくとともに、スライド突起７２が円弧部６３の奥に侵入する。すると、連結シャーシ４７は、コイルばね７１の付勢力に抗して、縁部４７ａを中心として回転する。すると、スライド突起７３が連結孔６９内に侵入しているので、連結シャーシ４７は、第２スライドシャーシ４６をコイルばね７１の付勢力に抗して、挿入口７ｂに向かって押圧する。すると、第２スライドシャーシ４６は、挿入口７ｂに近づく。
【００９１】
一方、操作ユニット４が挿排出位置に位置付けられると、スライド突起５２が第１スライドシャーシ４５の支持孔６１の水平部６４内に侵入する。さらに、スライド突起５２，５３がスライド孔４０，４１の挿入口７ｂ寄りの端部に位置する。このため、第１スライドシャーシ４５がさらに移動しても、図１２に示すように、スライド突起５２が支持孔６１の水平部６４を移動して、下連結アーム４２は、停止する。
【００９２】
さらに、第２スライドシャーシ４６が、挿入口７ｂに近づけられると、上連結アーム４３の回転支点（他端４３ｂ）が機器本体２の前方に排出される。このように、下連結アーム４２の他端４２ｂが停止し、上連結アーム４３の回転支点（他端４３ｂ）が機器本体２の前方に排出されるので、挿排出位置から操作ユニット４の上端部が上方に変位する。こうして、図２２および図２３に示すように、操作ユニット４が挿入口７ｂを覆う操作位置に位置付けられる。この操作位置では、操作ユニット４やタッチパネルを操作して、表示ユニット３に表示する情報の選択が行われる。さらに、操作位置はで、ＤＶＤビデオを出し入れする際には、操作ユニット４やタッチパネルを操作して、モータ３５を逆転駆動して、操作ユニット４を挿排出位置に位置付ける。また、操作位置から覆い位置に操作ユニット４を移動するとともに、表示ユニット３を収容位置に移動する際には、モータ２１，２７，３５を先ほどと反対に駆動する。即ち、モータ２１，２７，３５を逆転駆動する。
【００９３】
また、ＡＶ機器１は、表示ユニット３を機器本体２内に収容したまま、機器本体２にＤＶＤビデオを出し入れする際には、表示ユニット３を機器本体２内に収容したまま、第２駆動部６のみ動作させて、操作ユニット４を、図１４および図１５に示す覆い位置と、図２０および図２１に示す挿排出位置とに亘って移動する。このときも、前述したように第２駆動部６を動作させる。
【００９４】
本実施例によれば、表示ユニット３の一端部３ｃに設けられた回転軸１４の外周に大径部３３を取り付け、該大径部３３をねじりコイルばね３０内に通して、該ねじりコイルばね３０を大径部３３の外周に取り付けている。このため、ねじりコイルばね３０の内大径が大きくなり、該ねじりコイルばね３０を構成する材料（線材）が長くなって、視認位置から基準位置に向かって、表示ユニット３を変位させた際のねじりコイルばね３０のねじり量が前述した材料（線材）の全長に対して相対的に小さくなる。
【００９５】
このため、ねじりコイルばね３０のばね定数が小さくなって、視認位置で所定の力で表示ユニット３を付勢できるように、ねじりコイルばね３０のばね定数を定めると、前述したねじりコイルばね３０の付勢力に抗して、表示ユニット３を視認位置から基準位置に向かって変位させるための力を弱くすることができる。このため、ＡＶ機器１は、表示ユニット３を視認位置から基準位置に向かって移動する際にかかる力を弱くすることができる。
【００９６】
このため、表示ユニット３を移動するためのモータ３５の減速比を小さくすることができるとともに、モータ３５からの動力を伝達する部分の機構を簡素化することができ、該動力を伝達する機構の小型化を図ることができる。
【００９７】
さらに、表示ユニット３を視認位置から基準位置に向かって移動する際にかかる力を弱くすることができるので、モータ３５自体の小型化を図ることができる。また、付勢手段としてねじりコイルばね３０を用いている。
【００９８】
したがって、表示ユニット３を移動する際に必要な力を減少させることを可能にして、ＡＶ機器１の機器全体の小型化を図ることができる。
【００９９】
表示ユニット３の一端部３ｃに設けられた取り付け可能領域Ｒの中心Ｐ２と回転軸１４の軸芯Ｐ１とが位置ずれしている際に、大径部３３の軸芯Ｐ３を、回転軸１４の軸芯Ｐ１より取り付け可能領域Ｒの中心Ｐ２寄りに位置付けている。このため、取り付け可能領域Ｒの限られたスペースで、確実にねじりコイルばね３０の大径化を図ることができる。
【０１００】
取り付け可能領域Ｒの幅Ｈを、ねじりコイルばね３０の外径と略等しくしている。したがって、取り付け可能領域Ｒの限られたスペースで、確実にねじりコイルばね３０の大径化を確実に図ることができる。
【０１０１】
次に、本発明の発明者らは、本発明の効果を確認した。結果を、以下の表１に示す。
【０１０２】
【表１】
2006240557.tif 000003
【０１０３】
表１の比較例では、ねじりコイルばね３０の内径を回転軸１４の外径と等しくしている。比較例では、材質がＳＷＰ−Ｂ（ＪＩＳ（日本工業規格）Ｇ３５２２に規定されたピアノ線Ｂ種）であり、線材の直径が１．２ｍｍであり、線材の全長が１３２ｍｍであり、内径が４．２ｍｍであるねじりコイルばね３０を用いた。
【０１０４】
表１の本発明品では、前述した実施例に記載したとおり、ねじりコイルばね３０の内径を大径部３３の外径と等しくしている。本発明品では、材質が前述のＳＷＰ−Ｂであり、線材の直径が１．１ｍｍであり、線材の全長が３２２ｍｍであり、内径が８．９ｍｍであるねじりコイルばね３０を用いた。
【０１０５】
表１に示す実験では、前述した基準位置と視認位置との双方のねじりコイルばね３０が表示ユニット３を付勢する付勢力のモーメントを計測した。
【０１０６】
表１によれば、本発明品の視認位置の付勢力のモーメントが、比較例の視認位置の付勢力のモーメントと略等しく、本発明品の基準位置の付勢力のモーメントが、比較例の基準位置の付勢力のモーメントより小さいので、本発明品が比較例より視認位置から基準位置に表示ユニット３を移動する際のねじりコイルばね３０による抵抗が小さいことが明らかとなった。即ち、本発明品は、比較例より前述したねじりコイルばね３０の付勢力に抗して、表示ユニット３を視認位置から基準位置に向かって変位させるための力を弱くすることができることが明らかとなった。
【０１０７】
前述した実施例では、ＤＶＤプレーヤなどを備えたＡＶ機器１を示している。しかしながら、本発明では、ＤＶＤプレーヤ以外の他の電子ユニットを備えた電子機器でも良い。
【０１０８】
前述した実施例では、可動ユニットとしては、表示面としての表示パネル３ａを有した表示ユニット３を示している。しかしながら、本発明では、可動ユニットは、表示ユニット３以外の種々の電子ユニットであっても良い。
【０１０９】
また、前述した実施例では、付勢手段としてねじりコイルばね３０を用いている。しかしながら、本発明では、付勢手段として、ねじりコイルばね３０以外の種々のばねやゴムなどの弾性体を用いても良い。
【０１１０】
さらに、前述した実施例では、回転軸１４と大径部材２９とを別体にしている。しかしながら、本発明では、図２４及び図２５に示すように、回転軸１４と大径部材２９とを一体にした回転軸部材８０を用いても良い。なお、図２４及び図２５において、前述した実施例と同一部分には同一符号を付して説明を省略する。また、図２４及び図２５において、回転軸１４と大径部材２９との境界を点線で示している。回転軸部材８０は、勿論、表示ユニット３の一端部３ｃに取り付けられている。回転軸部材８０では、勿論、大径部３３が回転軸１４の外周に一体化されている。
【０１１１】
図２４及び図２５に示す場合においても、前述した実施例と同様に、ねじりコイルばね３０の付勢力に抗して、表示ユニット３を視認位置から基準位置に向かって変位させるための力を弱くすることができる。
【０１１２】
前述した実施例によれば、以下のＡＶ機器１が得られる。
【０１１３】
（付記１）
機器本体２、
前記機器本体２に、一端部３ｃを中心として回転自在に支持されているとともに、前記一端部３ｃを中心として回転することで第１の位置と第２の位置とに亘って変位自在に設けられた表示ユニット３と、
前記表示ユニット３を前記第１の位置から前記第２の位置に向かって付勢するねじりコイルばね３０と、を備えたＡＶ機器１において、
前記表示ユニット３の一端部３ｃに設けられた回転中心をなす回転軸１４と、
前記回転軸１４より外径が大きく形成されかつ前記回転軸１４の外周に取り付けられているとともに、外周に前記ねじりコイルばね３０が取り付けられた大径部３３と、
を備えたことを特徴とするＡＶ機器１。
【０１１４】
（付記２）
前記表示ユニット３の一端部３ｃには、前記ねじりコイルばね３０が取り付け可能な取り付け可能領域Ｒが設けられ、
前記取り付け可能領域Ｒの中心Ｐ２と、前記回転軸１４の回転中心Ｐ１とが、互いに位置ずれしているとともに、
前記大径部３３の軸芯Ｐ３は、前記回転軸１４の回転中心Ｐ１より前記取り付け可能領域Ｒの中心Ｐ２寄りに位置付けられていることを特徴とする付記１記載のＡＶ機器１。
【０１１５】
（付記３）
前記取り付け可能領域Ｒの幅Ｈと、前記ねじりコイルばね３０の外径と、を略等しくしたことを特徴とする付記１又は付記２記載のＡＶ機器１。
【０１１６】
（付記４）
前記大径部３３と、前記表示ユニット３を回転させるための駆動力が伝達される歯車部３４と、を一体に形成したことを特徴とする付記１乃至付記３のうちいずれか一項に記載のＡＶ機器１。
【０１１７】
（付記５）
機器本体２、
前記機器本体２に、一端部３ｃを中心として回転自在に支持されているとともに、前記一端部３ｃを中心として回転することで第１の位置と第２の位置とに亘って変位自在に設けられた表示ユニット３と、
前記表示ユニット３を前記第１の位置から前記第２の位置に向かって付勢するねじりコイルばね３０と、
前記表示ユニット３の一端部３ｃに設けられた回転中心をなす回転軸１４と、前記回転軸１４より外径が大きく形成されかつ前記回転軸１４の外周に一体化されているとともに外周に前記ねじりコイルばね３０が取り付けられた大径部３３とを有する回転軸部材８０と、
を備えたことを特徴とするＡＶ機器１。
【０１１８】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【０１１９】
【図１】本発明の一実施例にかかる電子機器としてのＡＶ機器が自動車のインパネに取り付けられた状態を示す斜視図である。
【図２】図１に示されたＡＶ機器の第１駆動部などの構成を示す平面図である。
【図３】図２に示された第１駆動部の要部を示す平面図である。
【図４】図３に示された第１駆動部の要部を示す側面図である。
【図５】図４に示された第１駆動部の要部を拡大して示す側面図である。
【図６】図５に示された第１駆動部の大径部材の平面図である。
【図７】図６中のＶＩＩ−ＶＩＩ線に沿う断面図である。
【図８】図１に示されたＡＶ機器の第２駆動部などの構成を示す側面図である。
【図９】図８に示された第２駆動部などの構成を示す平面図である。
【図１０】図８に示された操作ユニットが挿排出位置に位置付けられた状態の第２駆動部などを示す側面図である。
【図１１】図１０に示された第２駆動部などを示す平面図である。
【図１２】図１０に示された操作ユニットが操作位置に位置付けられた状態の第２駆動部などを示す側面図である。
【図１３】図１２に示された第２駆動部などを示す平面図である。
【図１４】図１に示されたＡＶ機器の表示ユニットが収容位置に位置付けられ、操作ユニットが覆い位置に位置付けられた状態を示す正面図である。
【図１５】図１４に示されたＡＶ機器の側面図である。
【図１６】図１４に示されたＡＶ機器の操作ユニットが上向きに移動された状態を示す正面図である。
【図１７】図１６に示されたＡＶ機器の側面図である。
【図１８】図１６に示されたＡＶ機器の表示ユニットが基準位置から視認位置に向かって移動している状態を示す正面図である。
【図１９】図１８に示されたＡＶ機器の側面図である。
【図２０】図１８に示されたＡＶ機器の表示ユニットが視認位置に位置付けられ操作ユニットが挿排出位置に位置付けられた状態を示す正面図である。
【図２１】図２０に示されたＡＶ機器の側面図である。
【図２２】図２０に示されたＡＶ機器の操作ユニットが操作位置に位置付けられた状態を示す正面図である。
【図２３】図２２に示されたＡＶ機器の側面図である。
【図２４】図１に示されたＡＶ機器の変形例の回転軸部材などを示す側面図である。
【図２５】図２４に示された回転軸部材を断面で示す平面図である。
【符号の説明】
【０１２０】
１  ＡＶ機器（電子機器）
２  機器本体
３  表示ユニット（可動ユニット）
３ｃ  一端部
１４  回転軸
３０  ねじりコイルばね（付勢手段）
３３  大径部
３４  歯車部（歯車）
８０  回転軸部材
Ｐ１  回転軸の軸芯（回転中心）
Ｐ２  取り付け可能領域の中心
Ｐ３  大径部の軸芯
Ｒ  取り付け可能領域
Ｈ  取り付け可能領域の幅
【図１】
2006240557.tif 000004
【図２】
2006240557.tif 000005
【図３】
2006240557.tif 000006
【図４】
2006240557.tif 000007
【図５】
2006240557.tif 000008
【図６】
2006240557.tif 000009
【図７】
2006240557.tif 000010
【図８】
2006240557.tif 000011
【図９】
2006240557.tif 000012
【図１０】
2006240557.tif 000013
【図１１】
2006240557.tif 000014
【図１２】
2006240557.tif 000015
【図１３】
2006240557.tif 000016
【図１４】
2006240557.tif 000017
【図１５】
2006240557.tif 000018
【図１６】
2006240557.tif 000019
【図１７】
2006240557.tif 000020
【図１８】
2006240557.tif 000021
【図１９】
2006240557.tif 000022
【図２０】
2006240557.tif 000023
【図２１】
2006240557.tif 000024
【図２２】
2006240557.tif 000025
【図２３】
2006240557.tif 000026
【図２４】
2006240557.tif 000027
【図２５】
2006240557.tif 000028